(57)【要約】【課題】リニアテープドライブ用の磁気ヘッド装置を低コスト化・簡略化を図る。【解決手段】磁気テープ５０に対して磁気信号の記録再生を行う磁気ヘッド２０と、この磁気ヘッド２０の両側部にそれぞれ配設されて磁気テープ５０を支持する一対の固定レール部２１，２２とを別離した構造とする。そして、磁気ヘッド２０のみをヘッド送り機構によって磁気テープ５０の幅方向に駆動し、トラッキングを行う。【効果】本発明に係る磁気ヘッド装置によれば、磁気テープを案内する固定レール部を磁気テープに対して移動させることが不要となり、磁気ヘッドのみを磁気テープの幅方向に移動自在とすることができる。【選択図】　図２
2004110977.tif 000002
【特許請求の範囲】
【請求項１】
磁気テープに対して磁気信号の記録再生を行う磁気ヘッドと、
前記磁気ヘッドを前記磁気テープの幅方向に移動自在とするヘッド送り機構と、
前記磁気ヘッドの両側部にそれぞれ配設され、前記磁気テープの全幅に渡って延在されてなる一対の固定レール部とを備えること
を特徴とする磁気ヘッド装置。
【請求項２】
前記固定レール部には、前記磁気テープの当接状態を制御する溝部が形成されていること
を特徴とする請求項１記載の磁気ヘッド装置。
【請求項３】
前記固定レール部は、断面が略円形状の丸棒で形成すること
を特徴とする請求項１、２記載の磁気ヘッド装置。
【発明の詳細な説明】
【０００１】
【発明の属する技術分野】
本発明は、ＤＬＴ（Ｄｉｇｉｔａｌ　Ｌｉｎｅａｒ　Ｔａｐｅ）やＬＴＯ（Ｌｉｎｅａｒ　Ｔａｐｅ　Ｏｐｅｎ）に代表されるリニアテープドライブに搭載される磁気ヘッド装置に関する。
【０００２】
【従来の技術】
従来から、例えばコンピュータシステムのバックアップ用記録装置として、ＤＬＴ（Ｄｉｇｉｔａｌ　Ｌｉｎｅａｒ　Ｔａｐｅ）やＬＴＯ（Ｌｉｎｅａｒ　Ｔａｐｅ　Ｏｐｅｎ）に代表されるリニアテープドライブが利用されている。この種のリニアテープドライブは、例えば、特開平９−１９８６３９号公報などに開示されている。
【０００３】
リニアテープドライブは、磁気テープが巻回されてなる単一の供給リールを有するテープカートリッジが着脱自在に用いられ、このテープカートリッジの着脱機構、磁気テープを巻き取るための巻取リール、供給リール及び巻取リールを回転駆動する駆動機構、磁気テープに対して磁気信号の記録再生を行う磁気ヘッド装置、及び磁気信号を電気信号に変換する信号回路などを備えている。
【０００４】
リニアテープドライブにおいては、テープカートリッジが装着されると、ガイドローラなどによって供給リールから磁気テープがテープカートリッジから引き出され、この磁気テープが磁気ヘッドを介して巻き取りリールに係止される。そして、巻き取りリール及び供給リールを回転駆動することにより磁気テープを磁気ヘッドに摺動させながら、磁気ヘッドにより磁気テープに対して磁気信号の記録再生を行う。
【０００５】
ここで、リニアテープドライブに搭載される従来の磁気ヘッド装置の一例について、図４を参照しながら説明する。従来の磁気ヘッド装置は、図４に示すように、複数の磁気ギャップを有する磁気ヘッド１００の両側部に、磁気ヘッド１００と磁気テープ１５０との当接状態を制御するための一対の案内レール１０１，１０２が配設された構造とされている。また、従来の磁気ヘッド装置は、磁気ヘッド１００と案内レール１０１，１０２とによって構成された一体の部材が、図示を省略するヘッド送り機構によって磁気テープ１５０の幅方向に移動自在とされている。これにより、磁気テープ１５０の幅方向に並んで設定された複数の記録トラックのうちの任意の記録トラックに対して、磁気ヘッド１００の磁気ギャップにより磁気信号の記録再生、或いは磁気信号の消去を行うことが可能とされている。
【０００６】
【発明が解決しようとする課題】
ところで、リニアテープドライブに搭載される従来の磁気ヘッド装置は、上述のように磁気テープ１５０の幅方向に移動自在とされており、磁気テープ１５０の上端部に設定された記録トラックに対しては、図４中において矢印Ａに示す位置で記録再生を行い、磁気テープ１５０の下端部に設定された記録トラックに対しては、図４中において矢印Ｂに示す位置で記録再生を行う。
【０００７】
したがって、磁気ヘッド装置が磁気テープ１５０に形成された全ての記録トラックに対して記録再生を行うためには、図４中の矢印Ｌで示す幅だけ、磁気ヘッド装置の移動のために確保しておく必要が生じる。このため、従来の構造とされたリニアテープドライブにおいては、図４中矢印Ｌで示す幅の分だけの空間を内部を確保しておく必要があり、ドライブの薄型化を妨げる要因となっていた。
【０００８】
また、従来の磁気ヘッド装置は、磁気ヘッド１００と案内レール１０１，１０２とが一体化されていることから、製造工程上の問題などにより磁気ヘッド１００に不良が生じた場合には、案内レール１０１，１０２を含めた磁気ヘッド装置全体を破棄しなければならないという問題もある。磁気ヘッド１００及び案内レール１０１，１０２は、記録再生時に磁気テープ１５０に対して摺動するため、良好な摩耗特性と良好な磁気特性とを兼ね備えた比較的高価な金属材料等によって形成されている。したがって、磁気ヘッド１００と案内レール１０１，１０２とにより一体構造とされた従来の磁気ヘッド装置は、製造コストを低減することに限界があった。
【０００９】
さらに、従来の磁気ヘッド装置における案内レール１０１，１０２は、磁気ヘッド装置の磁気テープ１５０に対する移動量を考慮して、いずれの位置でおいても磁気テープ１５０を案内できるように、磁気テープ１５０の幅方向に十分な長さで延在して設けることが必要となる。このため、案内レール１０１，１０２に用いる高価な原材料の量を低減するという観点からも限界があり、低コスト化を阻む要因となっている。
【００１０】
また、磁気ヘッド１００と案内レール１０１，１０２とが一体化された磁気ヘッド装置の全体を磁気テープの幅方向に移動する構造とされているため、この磁気ヘッド装置のヘッド送り機構にも所定の出力が要求され、このヘッド送り機構も簡略な構造とすることが困難であった。
【００１１】
本発明は、上述した従来の実情を鑑みてなされたものであり、上述した問題を解決して、低コスト化・軽量化・周辺機構の簡略化を図ることが可能な磁気ヘッド装置を提供することを目的とする。
【００１２】
【課題を解決するための手段】
本発明の請求項１に係る磁気ヘッド装置は、磁気テープに対して磁気信号の記録再生を行う磁気ヘッドと、前記磁気ヘッドを前記磁気テープの幅方向に移動自在とするヘッド送り機構と、前記磁気ヘッドの両側部にそれぞれ配設され、前記磁気テープの全幅に渡って延在されてなる一対の固定レール部とを備えることを特徴とするものである。
【００１３】
以上のように構成された本発明に係る磁気ヘッド装置によれば、磁気テープを案内する固定レール部を磁気テープに対して移動させることが不要となり、磁気ヘッドのみを磁気テープの幅方向に移動自在とすることができる。
【００１４】
このため、磁気ヘッドに不良が生じている場合には、この磁気ヘッドのみを破棄することができ、案内レール部を無駄にしてしまうことがない。また、案内レール部は、磁気テープの全幅に相当する幅で形成されていれば十分であることから、従来構造と比較して材料コストを低減することができる。したがって、本発明に係る磁気ヘッド装置は、従来構造の磁気ヘッド装置と比較して低コスト化を図ることができる。また、一対の案内レール部が固定された状態とされ、これらの案内レール部の間で磁気ヘッドが移動操作されることから、磁気ヘッドの移動に必要な空間を最小限とすることができ、磁気ヘッド装置を搭載するリニアテープドライブの薄型化を図ることができる。
【００１５】
また、案内レール部を固定した状態で、磁気ヘッドの部位のみが移動操作される構造とされていることから、従来構造の磁気ヘッド装置と比較して移動させる部位の重量が劇的に軽量化される。これにより、ヘッド送り機構に要求されるアクチュエータの推力を従来に比べ低減できるため、このヘッド送り機構においても低コスト化・簡略化並びに小型化を図ることができる。
【００１６】
なお、前記固定レール部には、前記磁気テープの当接状態を制御する溝部が形成されているとしてもよい。これにより、磁気ヘッド装置により磁気テープに生じる張力を適切に維持したり、磁気ヘッドや固定レール部の摺動面における摩耗状態を適切に制御することが可能となる。
【００１７】
【発明の実施の形態】
以下、本発明の実施の形態について、図面を参照しながら詳細に説明する。以下では、まず、本発明を適用した磁気ヘッド装置が搭載されるリニアテープドライブの概略構成について、図１を参照しながら説明する。なお、図１は、上蓋を取り外した状態のリニアテープドライブ１０を示す概略斜視図である。
【００１８】
リニアテープドライブ１０は、図１に示すように、磁気テープが巻回されてなる単一の供給リールを有するテープカートリッジ（図示せず。）が着脱自在に用いられ、テープカートリッジの磁気テープを巻き取るための巻取リール１１が備えられている。巻取リール１１は、スプールとも称される。また、リニアテープドライブ１０のベース部１２ａには、２つのスピンドルモータ１３，１４が備えられている。第１のスピンドルモータ１３は、巻取リール１１に接続されており、この巻取リール１１を回転駆動する。また、第２のスピンドルモータ１４は、テープカートリッジが装着された状態で、このテープカートリッジが備える供給リールに接続され、供給リールを回転駆動する。
【００１９】
テープカートリッジは、リニアテープドライブ１０のハウジング１２に形成された案内スロット１２ｂに沿って、リニアテープドライブ１０の内部に手動で、又は図示しない着脱機構による駆動力によって、図中矢印Ｃで示す方向に挿入される。
【００２０】
テープカートリッジを案内スロット１２ｂに沿って挿入すると、このテープカートリッジの供給リールが第２のスピンドルモータ１４に装着される。この状態で、機械的なバックリング機構１５によって磁気テープがテープカートリッジから引き出されて、巻取リール１１に接続される。このとき、テープカートリッジと巻取リール１１との間で、磁気テープの走行経路上に配設された複数のガイドローラ１６が磁気テープを案内する状態となる。また、リニアテープドライブ１０は、磁気テープの走行路上に磁気ヘッドアセンブリ１７が配設されている。
【００２１】
リニアテープドライブ１０においては、スピンドルモータ１３，１４によって巻取リール１１及び供給リールを回転駆動させることにより、磁気ヘッドアセンブリ１７に備えられた磁気ヘッドに対して磁気テープを摺動させながら、この磁気ヘッドにより磁気テープに対して磁気信号の記録再生を行う。
【００２２】
ここで、磁気ヘッドアセンブリ１７における磁気テープの摺動面近傍の構造について、図２を参照しながら説明する。なお、図２（ａ）は、磁気ヘッドアセンブリ１７に備えられる磁気ヘッド２０及び一対の固定レール部２１，２２を磁気テープの摺動面からみた概略図であり、図２（ｂ）は、この磁気ヘッドアセンブリ１７における図２（ａ）に示す部位を磁気テープの摺動方向で切断したときの断面を模式的に示す概略断面図である。
【００２３】
磁気ヘッドアセンブリ１７は、図２に示すように、磁気テープ５０に対して磁気信号の記録再生を行う磁気ヘッド２０と、この磁気ヘッド２０を同図中矢印に示すように、磁気テープ５０の幅方向に移動自在とするヘッド送り機構（図示を省略する。）と、磁気ヘッド２０の両側部にそれぞれ配設され、磁気テープ５０の全幅に渡って延在されてなる一対の固定レール部２１，２２とを備える。
【００２４】
磁気ヘッド２０は、磁気ギャップを複数備えており、これらの磁気ギャップから洩れ磁界を磁気テープ５０に印加することにより磁気信号の記録を行ったり、磁気テープ５０に記録された磁気信号を磁気ギャップから磁気コア内に導入し、図示を省略するコイルによって電気信号に変換することにより再生を行う。
【００２５】
また、磁気ヘッド２０は、ヘッド送り機構によって、図２（ａ）中に矢印Ｄ及び矢印Ｅで示すように、磁気テープ５０の幅方向に駆動されている。これにより、磁気テープ５０の幅方向に並んで設定された複数の記録トラックのうちの任意の記録トラックに対して磁気信号の記録再生、或いは磁気信号の消去を行う。
【００２６】
なお、ヘッド送り機構としては、従来から既知である各種構造のアクチュエータを用いることができる。
【００２７】
一対の固定レール部２１，２２は、磁気ヘッド２０の両側部に配設されており、磁気ヘッド２０に摺動して高速に走行する磁気テープ５０を支持する機能を有している。一対の固定レール部２１，２２は、例えば図示しない支持部材によってリニアテープドライブ１０のハウジング１２に取り付けられており、磁気テープ５０に対しての相対位置が固定されている。すなわち、固定レール部２１，２２は、ヘッド送り機構によって駆動されるものではない。
【００２８】
また、一対の固定レール部２１，２２には、図２（ａ）及び図２（ｂ）に示すように、磁気テープ５０との当接状態を制御する溝部２１ａ，２２ａが形成されている。これにより、磁気テープ５０に生じる張力を適切に維持したり、磁気テープ５０と磁気ヘッド２０や固定レール部２１，２２との摺動面における摩耗状態（例えば、磨耗による削りカス等を溝部に収納する）を適切に調整されている。
【００２９】
以上のように構成された磁気ヘッドアセンブリ１７においては、ヘッド送り機構によって駆動される部材が磁気ヘッド２０のみである。したがって、一対の固定レール部２１，２２は、磁気テープ５０の全幅を僅かに超える長さで形成されていれば十分である。したがって、本例に係る磁気ヘッドアセンブリ１７は、従来構造の磁気ヘッド装置と比較して、固定レール部２１，２２に要する材料コストを低減することができる。
【００３０】
また、一対の固定レール部２１，２２が磁気テープ５０に対して移動しない構成とされていることから、この磁気ヘッドアセンブリ１７は、磁気テープ５０の幅方向に図２中に矢印Ｍで示す長さだけあれば、磁気ヘッド２０を磁気テープ５０の全幅に渡って移動させることができ、磁気テープ５０に形成された任意の記録トラックに対して記録再生を行うことができる。ここで、従来例として図示した図４における矢印Ｌの長さと比較して明らかであるように、本例に係る磁気ヘッドアセンブリ１７をリニアテープドライブ１０の内部に配設するために要する空間を低減することができる。このため、ドライブの薄型化を図ることが可能である。
【００３１】
また、磁気ヘッドアセンブル１７においては、磁気ヘッド２０と固定レール部２１，２２とが一体化されていないことから、磁気ヘッド２０に不良が生じた場合などには、磁気ヘッド２０だけを正常なものに交換することができる。したがって、製造時の歩留まりを向上させることができる。
【００３２】
さらに、磁気ヘッド２０のみがヘッド送り機構によって駆動されることから、従来構造と比較して駆動部の重量を著しく軽減することができる。このため、ヘッド送り機構に必要とされる推力を低減することができるだけでなく、構造も簡略化することができる。したがって、ヘッド送り機構をより小型化・簡略化することができ、低コスト化を図ることが可能である。
【００３３】
なお、磁気ヘッド２０及び固定レール部２１，２２における磁気テープ５０の摺動面形状については、特に限定されるものではなく、例えば、図３に示すように、断面形状が円形とされた部材により固定レール部２１，２２を構成するとしてもよい。また、磁気テープ５０と磁気ヘッド２０及び固定レール部２１，２２との当接角度は、図３に示すように、１０°〜１２°程度とすることが望ましい。
【００３４】
【発明の効果】
本発明に係る磁気ヘッド装置によれば、磁気テープを案内する固定レール部を磁気テープに対して移動させることが不要となり、磁気ヘッドのみを磁気テープの幅方向に移動自在とすることができる。
【００３５】
このため、磁気ヘッドに不良が生じている場合には、この磁気ヘッドのみを破棄することができ、案内レール部を無駄にしてしまうことがない。また、案内レール部は、磁気テープの全幅に相当する幅で形成されていれば十分であることから、従来構造と比較して材料コストを低減することができる。したがって、本発明に係る磁気ヘッド装置は、従来構造の磁気ヘッド装置と比較して低コスト化を図ることができる。また、一対の案内レール部が固定された状態とされ、これらの案内レール部の間で磁気ヘッドが移動操作されることから、磁気ヘッドの移動に必要な空間を最小限とすることができ、磁気ヘッド装置を搭載するリニアテープドライブの薄型化を図ることができる。
【００３６】
また、案内レール部を固定した状態で、磁気ヘッドの部位のみが移動操作される構造とされていることから、従来構造の磁気ヘッド装置と比較して移動させる部位の重量が劇的に軽量化される。これにより、ヘッド送り機構に要求されるアクチュエータ出力も低減し、このヘッド送り機構においても低コスト化・簡略化を図ることができる。
【００３７】
したがって、本発明によれば、低コスト化・軽量化・周辺機構の簡略化を図ることが可能な磁気ヘッド装置を実現することができる。
【図面の簡単な説明】
【図１】本発明を適用した磁気ヘッド装置（磁気ヘッドアセンブリ）を搭載するリニアテープドライブの一例を示す概略斜視図である。
【図２】同磁気ヘッドアセンブリの構造を示す概略図であり、（ａ）は磁気テープの摺動面側からみた平面図であり、（ｂ）は磁気テープの摺動方向に切断して示す断面図である。
【図３】同磁気ヘッドアセンブリの別の構造の一例を示し、磁気テープの摺動方向に切断して示す概略断面図である。
【図４】従来構造の磁気ヘッド装置の一例について説明するための概略図である。
【符号の説明】
１０　　　　リニアテープドライブ
１１　　　　巻取リール
１３　　　　第１のスピンドルモータ
１４　　　　第２のスピンドルモータ
１７　　　　磁気ヘッドアセンブリ
２０　　　　磁気ヘッド
２１，２２　固定レール部
５０　　　　磁気テープ
【図１】
2004110977.tif 000003
【図２】
2004110977.tif 000004
【図３】
2004110977.tif 000005
【図４】
2004110977.tif 000006